(57)【要約】      （修正有）【課題】２穴循環式浴槽湯沸かし器において、電気等を使用することがない、保湿効果の高い浴槽保湿器具を提供する。【解決手段】２穴循環式浴槽湯沸かし器において、下穴に挿入し、下穴の内側に係止出来る外形テーパー部２と穴５を通って浴槽側からの水は流入出来、逆方向へ流出する事を防ぐ逆止弁３が設けているため、浴槽外に設置された加熱部のお湯が外気温によって冷えて、下穴から浴槽内に流出してくる事をこの逆止弁３で防いでおり、そのため時間が経過しての入浴時にかき混ぜた場合にお湯の温度が一気に下がる事が無くなり、ほとんど追い焚きせずに入浴出来、省エネに役立つ浴槽保温器具１となる。更には追い焚きしても、逆止弁３により、下穴から沸かすお湯を流入出来るため安全に使用出来る浴槽保温器具１となる。【選択図】図１
0003143783.tif 000002
【実用新案登録請求の範囲】
【請求項１】
２穴循環式浴槽湯沸かし器（６）において、下穴（７）に挿入し、下穴（７）の内側に係止出来る外形テーパー部（２）と穴（５）を通って浴槽（１４）側からの水は流入出来、逆方向へ流出する事を防ぐ逆止弁（３）が設けられている事を特徴とする浴槽保温器具（１）。
【請求項２】
逆止弁（３）がバネ（４）の手段からなる事を特徴とする請求項１に記載の浴槽保温器具（１）。
【考案の詳細な説明】
【技術分野】
【０００１】  本考案は、２穴循環式浴槽湯沸かし器において、下穴を安全に塞ぐ事により、電気等を使用する事がない保温効果の高い浴槽保温器具に関する。
【背景技術】
【０００２】  従来、浴槽のお湯の温度を快適に保つために、電熱ヒーターの入った保温器具や電子レンジを使用して予め温めて使用するコードレスタイプのお湯に浮かべる保温器具等がある。また一方で浴槽のお湯の上に断熱材で出来た保温シートをフタ代わりに浮かべて使用するものもが知られている。
【考案の開示】
【考案が解決しようとする課題】
【０００３】  しかしながら、電熱式の保温器具は電気コードをお風呂場に持ち込むため非常に危険であったり、コードレスタイプのものは電子レンジで予め熱くしないといけないために電気代がかかり、更には浴槽に浮かべて使用するため場所を取ったりする欠点があった。これらは費用も高価で、手入れもしずらいという欠点があった。
一方、２穴循環式浴槽湯沸かし器の場合においては、浴槽外に設置された加熱部のお湯が外気温によって下げられてしまうため、冬場では少しの時間で２度から３度以上加熱部のお湯が冷めて、その冷えたお湯が下穴から浴槽内に流出してしまい、入浴時にお湯を混ぜると、お湯の温度が一気に下がり、お湯表面の温度を下げない事を目的としている保温シートではその効果が期待出来ないものであった。
【課題を解決するための手段】
【０００４】  上記課題を解決するために本考案は、２穴循環式浴槽湯沸かし器（６）において、下穴（７）に挿入し、下穴（７）の内側に係止出来る外形テーパー部（２）と穴（５）を通って浴槽（１４）側からの水は流入出来、逆方向へ流出する事を防ぐ逆止弁（３）が設けておく。
本考案は以上のような構成からなる浴槽保温器具（１）である。
【考案の効果】
【０００５】  本考案の浴槽保温器具は以上のような構成であるため、２穴循環式湯沸かし器の浴槽外に設置された加熱部のお湯が外気温によって冷えて、下穴から浴槽内に流出してくる事を逆止弁で防ぐ事が出来るので、入浴時にかき混ぜたとしてもお湯の温度が一気に下がる事が無いため、ほとんど追い焚きせずに入浴出来、省エネに役立つ優れたものとなる。特に続けて人が入れない場合にこの効果は顕著となる。更には追い焚きしても、逆止弁により、下穴から沸かすお湯を流入出来るため安全に使用出来るものとなる。
また外形テーパー部により、下穴の口径が違っていても共用出来るものとなる。
【考案を実施するための最良の形態】
【０００６】  本考案における浴槽保温器具の大きさ、デザイン、厚み、材質、製造方法等は特に限定される事はないが、耐熱性の樹脂で出来たものが上げられる。
外形テーパー部はφ３０からφ５０ｍｍ程度のテーパーになっているものが好ましく、使用時にこのテーパー部を下穴に外れないように強く押し込んで係止させる。
逆止弁については、保温器具本体内部にバネ等の手段にて設けられた穴を閉じたり開いたり出来る構造であれば特に限定されないが、お湯の中につけて使用する事や温度変化の事等を考えると流入してくるお湯が確実に通過出来る程度のもので良い。なお、逆止弁を保温器具本体内に入れる方法として、最大外形である穴部分に逆止弁が通過出来る程度のスリット形状を開けておき、そこに逆止弁の厚み方向にスライドさせて保温器具本体内部に挿入する。またバネも予め保温器具本体にねじりバネとして仕込んでおいても良いが、本体の先端のヒンジ部から板バネとして逆止弁の裏側の引っ掛け部にバネ先端を引っ掛けておく事が望ましい。
【実施例】
【０００７】  以下、本考案の一実施例を、図１、図２及び図３で説明するがこれによって本考案はなんら限定されるものではない。【０００８】  図１は本考案の一例の断面図である。
２穴循環式浴槽湯沸かし器（６）において、下穴（７）に挿入し、下穴（７）の内側に係止出来る外形テーパー部（２）と穴（５）を通って浴槽（１４）側からの水は流入出来、逆方向へ流出する事を防ぐ逆止弁（３）が設けられている。なお、逆止弁（３）を止めるバネ（４）は浴槽保温器具（１）の先端部の設けられたヒンジ（１１）と一体成形されている。逆止弁（３）はスリット（１２）を通って浴槽保温器具（１）内部に挿入された後、バネ（４）の先端が逆止弁（３）裏側に設けられた引っ掛け部（１３）に引っ掛け留められて弁の役目となり、矢印方向からの水の流入の際の力によって開く構造となっている。もちろん普段はこのバネ（４）によって逆止弁（３）は常に浴槽保温器具（１）本体内部から弁が閉じて、お湯が穴（５）を通過して、下穴（７）から浴槽内に流出するのを防いでいるのである。
図２は図１の浴槽保温器具（１）の一方向斜視図を示し、逆止弁（３）を挿入する際のスリット（１２）が穴（５）の一部に設けられている事がわかる。
図３は２穴循環式浴槽湯沸かし器（６）において、図１の本考案の浴槽保温器具（１）を下穴（７）に挿入して使用している図を示した斜視図である。このように浴槽（１４）外部で水が下穴（７）から流入し、ガス火（１０）によって加熱部（９）で加熱沸騰させられて、上穴（８）から浴槽（１４）内部に熱いお湯となって出て行く様子を表している。【０００９】  なお、参考までに、本考案の浴槽保温器具を使用しない場合と使用した場合のお湯の温度変化を計測したものを示す。お湯の体積は１８０Ｌで一時間経過後かき混ぜて測定した。
外気温８度、浴槽温度３９．５度の場合で一時間経過後
３５．５度（使用せず）    ３７．２度（使用時）
外気温１５度、浴槽温度３９．５度の場合で一時間経過後
３６．５度（使用せず）    ３７．８度（使用時）
とかなりの違いが顕著に現れた。
【産業上の利用の可能性】
【００１０】  ２穴循環式湯沸かし器の浴槽外に設置された加熱部のお湯が外気温によって冷えて、下穴から浴槽内に流出してくる事を逆止弁で防いでおり、そのため入浴時にかき混ぜた場合にお湯の温度が一気に下がる事が無くなり、ほとんど追い焚きせずに入浴出来、省エネに役立つ浴槽保温器具となる。更には追い焚きしても、逆止弁により、下穴から沸かすお湯を流入出来るため安全に使用出来るものとなる。
また外形テーパー部により、下穴の口径が違っていても共用出来る優れた浴槽保温器具となる。
【図面の簡単な説明】
【００１１】
【図１】  本考案の一例を示す断面図である。
【図２】  本考案の一例を示す斜視図である。
【図３】  本考案の一例を示す斜視図である。
【符号の説明】
１  浴槽保温器具    ２  外形テーパー部    ３  逆止弁    ４  バネ
５  穴    ６  ２穴循環式湯沸かし器    ７  下穴    ８  上穴    ９  加熱部
１０  ガス火    １１  ヒンジ    １２  スリット    １３  引っ掛け部
１４  浴槽
【図１】
0003143783.tif 000003
【図２】
0003143783.tif 000004
【図３】
0003143783.tif 000005